(57)【要約】【課題】素材の選択性や、透光量又は反射光量の選択性、特には意匠性を高めた遮蔽材として利用可能なプリーツスクリーン用の生地、及びこの生地を備えるプリーツスクリーンを提供する。【解決手段】本発明の生地（スクリーン６）は、プリーツスクリーン用の生地であって、所定の素材にエンボス加工が施されている。特に、その所定の素材を不織布とし、該不織布に対しエンボス加工が施されている。また、直線、曲線、及び曲面のうちいずれか１つ以上を持つパターンで当該所定の素材に対しエンボス加工を施している。本発明のプリーツスクリーンは、本発明の生地（スクリーン６）を備える。【選択図】図１
2018172952.tif 000002
【特許請求の範囲】
【請求項１】
プリーツスクリーン用の生地であって、
所定の素材にエンボス加工が施されていることを特徴とする生地。
【請求項２】
前記所定の素材を不織布とし、該不織布に対し前記エンボス加工が施されていることを特徴とする、請求項１に記載の生地。
【請求項３】
直線、曲線、及び曲面のうちいずれか１つ以上を持つパターンで前記所定の素材に対し前記エンボス加工を施していることを特徴とする、請求項１又は２に記載の生地。
【請求項４】
前記エンボス加工を施して形成される凹部は、前記凹部以外の領域となる凸部より平坦度が大きくなるよう構成され、且つ前記凹部の領域と前記凸部の領域が異なる密度で構成されていることを特徴とする、請求項１から３のいずれか一項に記載の生地。
【請求項５】
前記エンボス加工を施して形成される凹部は、前記凹部以外の領域となる凸部より、外光に対する透過率が高くなるか、又は内光に対する反射率が低くなるよう構成されていることを特徴とする、請求項１から４のいずれか一項に記載の生地。
【請求項６】
前記エンボス加工を施して形成される或る凹部の最小厚みが、該凹部に隣接する凸部の最頂部を基準した最大厚みに対し３０％以上、７０％未満とされていることを特徴とする、請求項１から５のいずれか一項に記載の生地。
【請求項７】
前記エンボス加工を施して形成される凹部以外の領域となる凸部に対し前記凹部の割合は、前記プリーツスクリーン用の生地全体に対し４０％以下とされていることを特徴とする、請求項１から６のいずれか一項に記載の生地。
【請求項８】
前記エンボス加工は、加熱と圧力の組み合わせよりなる加工処理として構成されていることを特徴とする、請求項１から７のいずれか一項に記載の生地。
【請求項９】
前記エンボス加工を施して形成される凹部、及び前記凹部以外の領域となる凸部は、プリーツ加工による折り曲げられた生地の頂部を境に光の当たり具合で陰影をもたらすよう構成されていることを特徴とする、請求項１から８のいずれか一項に記載の生地。
【請求項１０】
請求項１から９のいずれか一項に記載の生地をスクリーンとして備えることを特徴とするプリーツスクリーン。
【請求項１１】
請求項１から９のいずれか一項に記載の生地をスクリーンとして複数枚備え、
当該複数枚の生地の各々が異なる柄を有することを特徴とするプリーツスクリーン。
【発明の詳細な説明】
【技術分野】
【０００１】
本発明は、遮蔽材として利用可能な生地、及びこの生地を備えるプリーツスクリーンに関する。
【背景技術】
【０００２】
プリーツスクリーンは、上下方向に折り曲げ可能とした遮蔽材（スクリーン）をヘッドボックスから吊下支持し、そのスクリーンを操作装置により昇降操作して採光量を適宜に調節するものである。
【０００３】
例えば１枚のスクリーンをヘッドボックスから吊下支持するプリーツスクリーンでは、このスクリーンをドレープ生地（遮光性生地）やレース生地（採光性生地）とし、そのスクリーンの畳み込みにより採光量を調整することができる。
【０００４】
尚、プリーツスクリーンの生地として、不織布に絵又は模様が描かれているものを利用する技法が開示されている（例えば、特許文献１参照）。
【先行技術文献】
【特許文献】
【０００５】
【特許文献１】特開平６−１１７１６８号公報
【発明の概要】
【発明が解決しようとする課題】
【０００６】
前述した特許文献１には、プリーツスクリーンの生地として、不織布に絵又は模様が描かれているものを利用する技法が開示されている。
【０００７】
この技法では、不織布に絵又は模様が描くための加工処理については何ら開示されていない。
【０００８】
特に、プリーツスクリーンの用途では、プライバシーを保ちつつ温かい雰囲気を醸し出す不織布がしばしば用いられ、透光量又は反射光量の選択性を持たせ、尚且つ意匠性を高めたいとする要望がある。
【０００９】
特に、プリーツスクリーンに利用可能な生地として、素材の選択性や、透光量又は反射光量の選択性、特には意匠性の観点での工夫が求められる。
【００１０】
本発明は、上述の問題に鑑みて、素材の選択性や、透光量又は反射光量の選択性、特には意匠性を高めた遮蔽材として利用可能なプリーツスクリーン用の生地、及びこの生地を備えるプリーツスクリーンを提供することにある。
【課題を解決するための手段】
【００１１】
本発明の生地は、プリーツスクリーン用の生地であって、所定の素材にエンボス加工が施されていることを特徴とする。
【００１２】
また、本発明の生地において、前記所定の素材を不織布とし、該不織布に対し前記エンボス加工が施されていることを特徴とする。
【００１３】
また、本発明の生地において、直線、曲線、及び曲面のうちいずれか１つ以上を持つパターンで前記所定の素材に対し前記エンボス加工を施していることを特徴とする。
【００１４】
また、本発明の生地において、前記エンボス加工を施して形成される凹部は、前記凹部以外の領域となる凸部より平坦度が大きくなるよう構成され、且つ前記凹部の領域と前記凸部の領域が異なる密度で構成されていることを特徴とする。
【００１５】
また、本発明の生地において、前記エンボス加工を施して形成される凹部は、前記凹部以外の領域となる凸部より、外光に対する透過率が高くなるか、又は内光に対する反射率が低くなるよう構成されていることを特徴とする。
【００１６】
また、本発明の生地において、前記エンボス加工を施して形成される或る凹部の最小厚みが、該凹部に隣接する凸部の最頂部を基準した最大厚みに対し３０％以上、７０％未満とされていることを特徴とする。
【００１７】
また、本発明の生地において、前記エンボス加工を施して形成される凹部以外の領域となる凸部に対し前記凹部の割合は、前記プリーツスクリーン用の生地全体に対し４０％以下とされていることを特徴とする。
【００１８】
また、本発明の生地において、前記エンボス加工は、加熱と圧力の組み合わせよりなる加工処理として構成されていることを特徴とする。
【００１９】
また、本発明の生地において、前記エンボス加工を施して形成される凹部、及び前記凹部以外の領域となる凸部は、プリーツ加工による折り曲げられた生地の頂部を境に光の当たり具合で陰影をもたらすよう構成されていることを特徴とする。
【００２０】
更に、本発明のプリーツスクリーンは、本発明の生地をスクリーンとして備えることを特徴とする。
【００２１】
更に、本発明のプリーツスクリーンは、本発明の生地をスクリーンとして複数枚備え、当該複数枚の生地の各々が異なる柄を有することを特徴とする。
【発明の効果】
【００２２】
本発明によれば、素材の選択性や、透光量又は反射光量の選択性、特には意匠性を高めた遮蔽材として利用可能なプリーツスクリーン用の生地、及びこの生地を備えるプリーツスクリーンを構成することができる。
【図面の簡単な説明】
【００２３】
【図１】本発明による一実施例の生地を備える一実施形態のプリーツスクリーンの概略構成を示す正面図である。
【図２】（ａ），（ｂ）は、それぞれ本発明による一実施例の生地におけるエンボス加工を構成する凹部の模様例を示す図である。
【図３】本発明による一実施例の生地におけるエンボス加工を構成する凹部と素材の凸部との平坦性に関する対比を示す図である。
【図４】本発明による一実施例の生地におけるエンボス加工を構成する凹部と素材の凸部との透光量に関する対比を示す図である。
【図５】本発明による一実施例の生地におけるエンボス加工を構成する凹部と素材の凸部との反射光量に関する対比を示す図である。
【図６】（ａ），（ｂ）は、それぞれ本発明による一実施例の生地を備える他の実施形態のプリーツスクリーンの概略構成を示す正面図である。
【発明を実施するための形態】
【００２４】
以下、図面を参照して、本発明による一実施形態のプリーツスクリーンを説明する。尚、本願明細書中、図１に示すプリーツスクリーンの正面図に対して、図示上方及び図示下方をスクリーンの吊り下げ方向に準じてそれぞれ上方向（又は上側）及び下方向（又は下側）と定義し、図示左方向をプリーツスクリーンの左側、及び、図示右方向をプリーツスクリーンの右側と定義して説明する。また、図１の正面図を視認する側を前側（室内側）とし、その反対側を後側（室外側）とする。
【００２５】
（装置構成）
図１に示すプリーツスクリーンは、上下方向に折り曲げ可能としたスクリーン６の上縁部をヘッドボックス１から吊下支持し、そのスクリーン６を操作装置３により昇降操作して採光量を適宜に調節するよう構成されている。ヘッドボックス１は、ブラケット２を介して取付面に固定される。
【００２６】
スクリーン６の下縁部にはボトムレール７が取着され、ボトムレール７は昇降コード８によって支持される。
【００２７】
操作コード５は、例えば無端状のボールチェーンで構成され、操作装置３内にて回転可能に収容される操作プーリー４に掛装される。操作プーリー４の外周面には、操作コード５のボールチェーンのボール部が嵌まり込む複数の凹部が形成されている。
【００２８】
操作プーリー４の回転は、駆動軸（図示せず）を介して昇降コード８を巻き取り、或いは巻き戻す巻取軸（図示せず）に伝達される。これにより、スクリーン６を操作装置３により昇降操作できるようになっている。
【００２９】
（生地構成）
図１に示すスクリーン６は、不織布からなる素材に対しエンボス加工を施して形成される凸部６ａと、凹部６ａ以外の領域となる凹部６ｂからなる。
【００３０】
ここで、本発明に係る好適例では、直線（特に、斜め直線）、曲線、及び曲面のうちいずれか１つ以上を持つパターンで、不織布からなる素材に対しエンボス加工を施すものとする。
【００３１】
従って、スクリーン６は、このエンボス加工により、不織布からなる素材に対しエンボス加工を施して形成される凸部６ａと、凹部６ａ以外の領域となる凹部６ｂから、図２（ａ）に示すような絵柄模様や図２（ｂ）に示すような幾何学模様など、装飾模様を持つように構成される。このため、本発明に係る好適例のエンボス加工を、既存のエンボス加工とは区別するため、「エンボス装飾加工」とも称することとする。
【００３２】
このように不織布からなる素材に対しエンボス加工（エンボス装飾加工）が施されたスクリーン６は、図３に示すように、不織布からなる素材に対しエンボス加工を施して形成される凸部６ａと、凹部６ａ以外の領域となる凹部６ｂが形成される。
【００３３】
本発明に係るスクリーン６では、凹部６ｂの平坦度ＦＬ２は、凸部６ａの平坦度ＦＬ１より大きくなるよう構成され、尚且つ凹部６ｂの領域と凸部６ａの領域が異なる密度で構成されている。これにより、その装飾を際立たせる陰影をもたらし、単に図柄等を印刷或いは編み込んだ形態よりも意匠性を向上させることができる。
【００３４】
また、図３に示すように、本発明に係るエンボス加工を施して形成される或る凹部６ｂの最小厚みｔａを、該凹部６ｂに隣接する凸部６ａの最頂部を基準した最大厚みｔｂに対し３０％以上、７０％未満とすることにより、図４に示すように、スクリーン６の室外側からの入射光（外光）に対し、凹部６ｂで透過する透過光の割合（透過率）は、凸部６ａの透過率より高くすることができ、その装飾を際立たせる陰影をもたらし、単に図柄等を印刷或いは編み込んだ形態よりも意匠性を向上させることができる。
【００３５】
また、図５に示すように、スクリーン６の室内側からの入射光（照明光／内光）に対し、凹部６ｂで反射する反射光の割合（反射率）は、凸部６ａの反射率より低く抑えることができ、その装飾を際立たせる陰影をもたらし、単に図柄等を印刷或いは編み込んだ形態よりも意匠性を向上させることができる。
【００３６】
特に、凸部６ａに対しエンボス加工を施した領域を示す凹部６ｂの割合は、当該プリーツスクリーン用のスクリーン６全体に対し４０％以下とすることで、所定の強度又は耐久性を保持できることが分かった。即ち、スクリーン６における凸部６ａ或いは凹部６ｂの位置に、図１に示すように昇降コード８を挿通させるための穴を設けたとしても、その昇降操作に対する影響や、スクリーン６の強度（耐久性）として品質上の問題は生じない。
【００３７】
そして、図２に例示するような模様とともに、エンボス加工の加圧量によって透光量又は反射光量をニーズに合わせて選択可能であり、スクリーン６の面内遮光性に変化を持たせることができる。
【００３８】
ここで、エンボス加工は、加熱と圧力の組み合わせよりなる加工処理として構成することで、より透光量又は反射光量をニーズに合わせて選択可能となり、スクリーン６の面内遮光性に変化を持たせることができる。
【００３９】
実際に加熱と圧力の異なる組み合わせより２種類の試作した生地Ｎｏ.１，Ｎｏ.２について、それぞれの凹部６ｂ及び凸部６ａにおける透過率及び反射率を表１及び表２に示している。
【００４０】
【表１】
2018172952.tif 000003
【００４１】
【表２】
2018172952.tif 000004
【００４２】
更に、凸部６ａ及び凹部６ｂは、プリーツ加工による折り曲げられたスクリーン６の頂部を境に光の当たり具合で陰影をもたらすようになり、従って、このようなスクリーン６をプリーツスクリーンに利用することで、複数種類で構成可能な不織布による素材の選択性、透光量又は反射光量の選択性、特には意匠性を高めることができる。
【００４３】
また、本発明に係るスクリーン６は、上下に複数枚のスクリーンを持つプリーツスクリーンや、前後に複数枚のスクリーンを持つプリーツスクリーンなどにおいて、それぞれのスクリーン毎に異なる柄として利用する形態とすることで、より一層、透光量又は反射光量の選択性、特には意匠性を高めることができる。
【００４４】
例えば、図６（ａ）に示すようにヘッドボックス１から上側スクリーン６Ｕを吊下して中間レール７Ｕを支持し、この中間レール７Ｕから下側スクリーン６Ｌを吊下してボトムレール７Ｌを支持するプリーツスクリーンにおいて、凸部６ａと凹部６ｂで表現される柄を、上側スクリーン６Ｕと下側スクリーン６Ｌとで異なるものとすることができる。
【００４５】
また、図６（ｂ）に示すようにヘッドボックス１から前側スクリーン６Ｆを吊下して前側ボトムレール７Ｆを支持し、ヘッドボックス１から後側スクリーン６Ｒを吊下して後側ボトムレール７Ｒを支持するプリーツスクリーンにおいて、凸部６ａと凹部６ｂで表現される柄を、前側スクリーン６Ｆと後側スクリーン６Ｒとで異なるものとすることができる。
【００４６】
以上、特定の実施形態の例を挙げて本発明を説明したが、本発明は前述の実施形態の例に限定されるものではなく、その技術思想を逸脱しない範囲で種々変形可能である。例えば、上下方向に折り曲げ可能としたスクリーンをヘッドボックスから吊下支持する特定の実施形態のプリーツスクリーンに対し、本発明に係る生地を設ける例を説明したが、上下又は前後にスクリーンを吊下する別の実施形態のプリーツスクリーンに対し、本発明に係るエンボス加工を施した生地を適用することができる。
【産業上の利用可能性】
【００４７】
本発明によれば、素材の選択性や、透光量又は反射光量の選択性、特には意匠性を高めた遮蔽材として利用可能な生地を構成することができるので、プリーツスクリーンの用途に有用である。
【符号の説明】
【００４８】
１  ヘッドボックス
２  ブラケット
３  操作装置
４  操作プーリー
５  操作コード
６  スクリーン
６Ｆ  前側スクリーン
６Ｒ  後側スクリーン
６Ｕ  上側スクリーン
６Ｌ  下側スクリーン
６ａ  スクリーンの凸部
６ｂ  スクリーンの凹部
７  ボトムレール
７Ｆ  前側ボトムレール
７Ｒ  後側ボトムレール
７Ｕ  上側ボトムレール
７Ｌ  下側ボトムレール
８  昇降コード
【図１】
2018172952.tif 000005
【図２】
2018172952.tif 000006
【図３】
2018172952.tif 000007
【図４】
2018172952.tif 000008
【図５】
2018172952.tif 000009
【図６】
2018172952.tif 000010